(57)【要約】      （修正有）【課題】テーブルの脚の高さを調節できることにより、洋風或いは和風の何れの生活様式にも対応可能なテーブル型こたつを提供する。【解決手段】テーブル型こたつＴ１は、裏面に電気ヒーターを有する天板と、天板裏面側に相対して取り付けられ、各々が、天板裏面へ着脱可能な第一の上部アタッチメントと、互いに間隔を開けて複数配置され、第一の上部アタッチメントに上端が取り付けられた第一の脚柱２２と、各第一の脚柱２２の下端を繋いで取り付けられた下部アタッチメント２３からなる第一の脚部品２と、前述の下部アタッチメント又は天板の何れにも着脱可能な第二の上部アタッチメント３１と、互いに間隔を開けて複数配置され、第二の上部アタッチメント３１に上端が取り付けられた第二の脚柱３２と、各第二の脚柱３２下端を繋いで取り付けられた台部３３からなる第二の脚部品３を備える。【選択図】図４
2017187266.tif 000002
【特許請求の範囲】
【請求項１】
裏面側に電気ヒーターおよび接続基部を有する天板と、
該天板の前記接続基部へ着脱可能な第一の上部アタッチメントと、一端側が前記第一の上部アタッチメントに取り付け可能であり、互いに間隔を開けて複数配置された第一の脚柱と、該各第一の脚柱の他端側に取り付け可能な第一の下部アタッチメントとを有する第一の脚部品と、
前記天板の前記第一の上部アタッチメントを取り付ける位置とは反対側に位置する前記接続基部へ着脱可能な第二の上部アタッチメントと、一端側が前記第二の上部アタッチメントに取り付け可能であり、互いに間隔を開けて複数配置された第二の脚柱と、該各第二の脚柱の他端側に取り付け可能な第二の下部アタッチメントとを有する第二の脚部品と、
前記第一の下部アタッチメントに着脱可能な第三の上部アタッチメントと、該第三の上部アタッチメントに取り付け可能であり、互いに間隔を開けて複数配置された第三の脚柱と、該各第三の脚柱の他端側に取り付け可能な第一の台部とを有する第三の脚部品と、
前記第二の下部アタッチメントに着脱可能な第四の上部アタッチメントと、該第四の上部アタッチメントに取り付け可能であり、互いに間隔を開けて複数配置された第四の脚柱と、該各第四の脚柱の他端側に取り付け可能な第二の台部とを有する第四の脚部品と備える
テーブル型こたつ。
【請求項２】
前記第三の上部アタッチメントが前記接続基部に着脱可能な構造であり、
前記第四の上部アタッチメントが前記接続基部に着脱可能な構造である
請求項１に記載のテーブル型こたつ。
【請求項３】
前記接続基部と、前記第一の上部アタッチメント、前記第二の上部アタッチメント、前記第三の上部アタッチメントあるいは前記第四の上部アタッチメントとの着脱構造が、前記接続基部に形成された孔と、前記第一の上部アタッチメント、前記第二の上部アタッチメント、前記第三の上部アタッチメントあるいは前記第四の上部アタッチメントに形成された他の孔とが連通した連通孔と、該連通孔に挿脱される接続具とによるものである
請求項２に記載のテーブル型こたつ。
【請求項４】
前記第一の下部アタッチメントと前記第三の上部アタッチメントとの着脱構造および前記第二の下部アタッチメントと前記第四の上部アタッチメントとの着脱構造が、前記第三の上部アタッチメントあるいは前記第四の上部アタッチメントにある前記他の孔と、前記第一の下部アタッチメントあるいは前記第二の下部アタッチメントに形成された孔とが連通した連通孔と、該連通孔に挿脱される接続具とによるものである
請求項３に記載のテーブル型こたつ。
【請求項５】
裏面側に電気ヒーターおよび接続基部を有する天板と、
該天板の裏面に着脱可能な第一の上部アタッチメントと、一端側が前記第一の上部アタッチメントに取り付けられた第一の脚柱と、該第一の脚柱の他端側に取り付けられた第一の下部アタッチメントとを有する第一の脚部品と、
前記天板における前記第一の上部アタッチメントを取り付ける位置とは反対側の位置に着脱可能な第二の上部アタッチメントと、一端側が前記第二の上部アタッチメントに取り付けられた第二の脚柱と、該第二の脚柱の他端側に取り付けられた第二の下部アタッチメントとを有する第二の脚部品と、
前記第一の下部アタッチメントまたは前記天板のいずれにも着脱可能な第三の上部アタッチメントと、該第三の上部アタッチメントに取り付けられた第三の脚柱と、該第三の脚柱の他端側に取り付けられた第一の台部とを有する第三の脚部品と、
前記第二の下部アタッチメントまたは前記天板のいずれにも着脱可能な第四の上部アタッチメントと、該第四の上部アタッチメントに取り付けられた第四の脚柱と、該第四の脚柱の他端側に取り付けられた第二の台部とを有する第四の脚部品と備える
テーブル型こたつ。
【発明の詳細な説明】
【技術分野】
【０００１】
本発明は、テーブル型こたつに関する。更に詳しくは、テーブルの脚の高さを調節できることにより、洋風あるいは和風のいずれの生活様式にも対応可能なものに関する。
【背景技術】
【０００２】
近年、生活の洋風化が進んだことにより、フローリングや絨毯が敷かれた部屋での生活様式に合わせたテーブル型のこたつが提案されており、このようなテーブル型のこたつの一例として、下記非特許文献１に記載されているようなものが挙げられる。また、下記非特許文献１に記載されているようなダイニングこたつセットのこたつテーブルを図１３に示している。
【先行技術文献】
【非特許文献】
【０００３】
【非特許文献１】こたつ専門店．ｎｅｔ  ダイニングこたつテーブルセット  ダイニングこたつセット１３５  ６点・ハイタイプＴＺ１３５ＢＲ  インターネット＜http://こたつ専門店.net/dining-kotatsu-set/dining-table-set-kawanami-135-br.html＞
【発明の概要】
【発明が解決しようとする課題】
【０００４】
ところで、上記非特許文献１及び図１３に記載されているようなこたつテーブル９は、想像線で表した椅子９９と組み合わせて使用するものであって、主に洋室で使用されるものであり、その天板の高さを下げるような機構を特に有していない。このため、例えば、和室等において利用者が床に直接座って、こたつテーブルを利用する、といったことができず、汎用性に欠けている。
【０００５】
本発明は、以上の点を鑑みて創案されたものであり、テーブルの脚の高さを調節できることにより、洋風あるいは和風のいずれの生活様式にも対応可能なテーブル型こたつを提供することを目的とする。
【課題を解決するための手段】
【０００６】
上記の目的を達成するために本発明のテーブル型こたつは、裏面側に電気ヒーターおよび接続基部を有する天板と、該天板の前記接続基部へ着脱可能な第一の上部アタッチメントと、一端側が前記第一の上部アタッチメントに取り付け可能であり、互いに間隔を開けて複数配置された第一の脚柱と、該各第一の脚柱の他端側に取り付け可能な第一の下部アタッチメントとを有する第一の脚部品と、前記天板の前記第一の上部アタッチメントを取り付ける位置とは反対側に位置する前記接続基部へ着脱可能な第二の上部アタッチメントと、一端側が前記第二の上部アタッチメントに取り付け可能であり、互いに間隔を開けて複数配置された第二の脚柱と、該各第二の脚柱の他端側に取り付け可能な第二の下部アタッチメントとを有する第二の脚部品と、前記第一の下部アタッチメントに着脱可能な第三の上部アタッチメントと、該第三の上部アタッチメントに取り付け可能であり、互いに間隔を開けて複数配置された第三の脚柱と、該各第三の脚柱の他端側に取り付け可能な第一の台部とを有する第三の脚部品と、前記第二の下部アタッチメントに着脱可能な第四の上部アタッチメントと、該第四の上部アタッチメントに取り付け可能であり、互いに間隔を開けて複数配置された第四の脚柱と、該各第四の脚柱の他端側に取り付け可能な第二の台部とを有する第四の脚部品と備える。
【０００７】
ここで、天板は、裏面側に電気ヒーターを有することによって、こたつとして使用することができる。また、天板は、裏面側に接続基部を有することによって、前述の第一の脚部品または第二の脚部品を取り付けることができる。
【０００８】
第一の脚部品は、第一の上部アタッチメントを有していることにより、天板の裏面側にある接続基部へ着脱可能に取り付けることができる。また、第一の脚部品は、第一の下部アタッチメントを有していることにより、前述の第三の脚部品と接続するように取り付けることができる。
【０００９】
なお、第一の脚柱は、第一の上部アタッチメントと第一の下部アタッチメントとの間に配置されることにより、上方からの荷重を支えることができる。加えて、第一の脚柱は、互いに間隔を開けて複数配置されていることから隙間が形成されており、例えば、こたつ布団を被せて、こたつとして使用する際には、その隙間からも暖かい空気が回って、こたつ布団内部の領域を素早く、かつ満遍なく暖めることができる。
【００１０】
第二の脚部品は、第一の上部アタッチメントを有していることにより、前述の第一の上部アタッチメントを取り付ける位置とは反対側に位置する天板の裏面側にある接続基部へ着脱可能に取り付けることができる。また、第二の脚部品は、第二の下部アタッチメントを有していることにより、前述の第四の脚部品と接続するように取り付けることができる。
【００１１】
なお、第二の脚柱は、前述の第一の脚柱と同様、上方からの荷重を支えることができ、加えて、隙間が形成されていることにより、例えば、こたつ布団を被せて、こたつとして使用する際には、こたつ布団内部の領域を素早く、かつ満遍なく暖めることができる。
【００１２】
第三の脚部品は、第三の上部アタッチメントを有していることにより、前述の第一の下部アタッチメントへ着脱可能に取り付けることができる。これにより、第三の脚部品と第一の脚部品が接続され、脚の長いテーブル型こたつとなる。第三の脚部品は、第一の台部を有していることにより、設置する床面に安定して置くことができる。第三の脚柱は、前述の第一の脚柱と同様、上方からの荷重を支えることができ、加えて、隙間が形成されていることにより、例えば、こたつ布団を被せて、こたつとして使用する際には、こたつ布団内部の領域を素早く、かつ満遍なく暖めることができる。
【００１３】
第四の脚部品は、第四の上部アタッチメントを有していることにより、前述の第二の下部アタッチメントへ着脱可能に取り付けることができる。これにより、第四の脚部品と第二の脚部品が接続され、脚の長いテーブル型こたつとなる。第四の脚部品は、第二の台部を有していることにより、設置する床面に安定して置くことができる。第四の脚柱は、前述の第一の脚柱と同様、上方からの荷重を支えることができ、加えて、隙間が形成されていることにより、例えば、こたつ布団を被せて、こたつとして使用する際には、こたつ布団内部の領域を素早く、かつ満遍なく暖めることができる。
【００１４】
更に、第一の脚部品は、第一の脚柱の各々の一端側が第一の上部アタッチメントに取り付けられ、かつ第一の脚柱の各々の他端側が第一の下部アタッチメントに取り付けられていることから、第一の脚柱の各々の両端部には第一の上部アタッチメントと第一の下部アタッチメントが架け渡すようにして連結されていることとなるので、例えば、第一の脚柱の各々が相互に独立した構造のものと比較して、横方向からの外力に対して充分な強度が確保できる。
【００１５】
同様に、第二の脚部品、第三の脚部品および第四の脚部品についても、各脚柱の各々の一端側が、各々の上部アタッチメントに取り付けられ、かつ各脚柱の各々の他端側が、各々の下部アタッチメントに取り付けられていることから、横方向からの外力に対して充分な強度が確保できる。
【００１６】
なお、第一の上部アタッチメント、第二の上部アタッチメント、第三の上部アタッチメント、第四の上部アタッチメント、第一の下部アタッチメント、および第二の下部アタッチメントは、複数である第一の脚柱、第二の脚柱、第三の脚柱あるいは第四の脚柱の各々の上下の端部を架け渡すようにして一まとまりに連結しているので、天板と第一の脚部品、天板と第二の脚部品、第一の脚部品と第三の脚部品、あるいは第二の脚部品と第四の脚部品を接続する際に、各々の脚柱を連結するような手間が掛からずに済む。
【００１７】
また、前記第三の上部アタッチメントが前記接続基部に着脱可能な構造であり、前記第四の上部アタッチメントが前記接続基部に着脱可能な構造である場合には、第一の脚部品および第二の脚部品を間に介することなく、第三の脚柱と第四の脚柱を天板に直接取り付けることができ、和風の生活様式において好適に使用される、脚が短くて天板の高さが低い、いわゆる従来のこたつの態様にすることができる。
【００１８】
つまり、テーブル型こたつは、脚部の長さの調節ができるので、前述のように脚部が長い態様であれば、椅子と組み合わせて洋室で好適に使用でき、脚部が短い態様であれば、使用者は床面に座って利用することができるため和室等で好適に使用できる。
【００１９】
また、前記接続基部と、前記第一の上部アタッチメント、前記第二の上部アタッチメント、前記第三の上部アタッチメントあるいは前記第四の上部アタッチメントとの着脱構造が、前記接続基部に形成された孔と、前記第一の上部アタッチメント、前記第二の上部アタッチメント、前記第三の上部アタッチメントあるいは前記第四の上部アタッチメントに形成された他の孔とが連通した連通孔と、該連通孔に挿脱される接続具とによるものである場合は、上下に重なる接続基部と各上部アタッチメントの孔の位置を合わせて接続具を挿着するか、あるいは上下に重なる上部アタッチメントと下部アタッチメントの孔の位置を合わせて接続具を挿着すれば、各部材を接続することができ、そして、孔から接続具を抜くと各部材の結合を解くことができる。
【００２０】
前記第一の下部アタッチメントと前記第三の上部アタッチメントとの着脱構造および前記第二の下部アタッチメントと前記第四の上部アタッチメントとの着脱構造が、前記第三の上部アタッチメントあるいは前記第四の上部アタッチメントにある前記他の孔と、前記第一の下部アタッチメントあるいは前記第二の下部アタッチメントに形成された孔とが連通した連通孔と、該連通孔に挿脱される接続具とによるものである場合は、上下に重なる第一の下部アタッチメントと第三の上部アタッチメントの孔の位置を合わせて接続具を挿着するか、あるいは上下に重なる第二の下部アタッチメントと第四の上部アタッチメントの孔の位置を合わせて接続具を挿着すれば、各部材を接続することができ、そして、孔から接続具を抜くと各部材の結合を解くことができる。
【００２１】
また、前記天板の前記接続基部には、前記第一および第二の上部アタッチメントを取り付けるために使用され、各々が所要間隔を空けて相対するように配置された複数の孔からなる、第一の孔群が形成されており、前記第一および第二の下部アタッチメントの各々には、前記第一の孔群の孔の位置および数と対応する位置および数に設定された複数の孔からなる、第二の孔群が形成されており、前記第三および第四の上部アタッチメントの各々には、前記第一の孔群の孔および前記第二の孔群の各々の孔の位置および数と対応する位置および数に設定された複数の孔からなる、第三の孔群が形成されている場合は、第三の孔群の位置および数と、第一の孔群および第二の孔群の位置および数とが共通しているため、例えばボルト等の接続具を用いて、第一の孔群と第二の孔群の位置を合わせることで連通させて形成される連通孔に接続具を挿着することで、第三あるいは第四の脚部品を第一あるいは第二の脚部品に取り付けることができ、また、第一の孔群と第三の孔群の位置を合わせることで連通させて形成される連通孔に接続具を挿着することで、第三あるいは第四の脚部品を直接天板に取り付けることもできる。
【００２２】
また、前記接続基部には、前記第一および第二の上部アタッチメントを取り付けるために使用されると共に、前記第一の孔群と異なる位置に設定された複数の孔からなる第四の孔群が形成されており、前記第一および第二の上部アタッチメントには、前記第四の孔群の孔の位置および数と対応する位置および数に設定された複数の孔からなる第五の孔群が形成されている場合は、天板の接続基部に取り付けるために使用される孔群が、第一および第二の脚部品を取り付ける場合と、第三および第四の脚部品を取り付ける場合とで異なるようにしてあることによって、各脚部品の取り付けに使用される孔群が交互に変わるので、着脱を繰り返したとしても孔の内周面が傷みにくい。
【００２３】
また、前記第四の孔群が、前記第一の孔群の形成位置よりも前記天板の外縁寄りに配置されており、前記第一および第二の上部アタッチメントが、前記第一および第二の下部アタッチメントの長さ方向の長さよりも長く形成されていると共に、前記第五の孔群の孔の位置および数が、前記第四の孔群の孔の位置および数と対応して形成されている場合は、前述の長く形成された第一および第二の上部アタッチメントの先部が天板の外縁寄りまで延設されて天板を支持していることにより、天板の上方向から天板の外縁近傍に加わる外力に対して充分な強度が確保できる。そして、前述の場合と同様に、各脚部品の取り付けに使用される孔群が交互に変わるので、着脱を繰り返したとしても孔の内周面が傷みにくい。
【００２４】
上記の目的を達成するために本発明のテーブル型こたつは、裏面側に電気ヒーターおよび接続基部を有する天板と、該天板の裏面に着脱可能な第一の上部アタッチメントと、一端側が前記第一の上部アタッチメントに取り付けられた第一の脚柱と、該第一の脚柱の他端側に取り付けられた第一の下部アタッチメントとを有する第一の脚部品と、前記天板における前記第一の上部アタッチメントを取り付ける位置とは反対側の位置に着脱可能な第二の上部アタッチメントと、一端側が前記第二の上部アタッチメントに取り付けられた第二の脚柱と、該第二の脚柱の他端側に取り付けられた第二の下部アタッチメントとを有する第二の脚部品と、前記第一の下部アタッチメントまたは前記天板のいずれにも着脱可能な第三の上部アタッチメントと、該第三の上部アタッチメントに取り付けられた第三の脚柱と、該第三の脚柱の他端側に取り付けられた第一の台部とを有する第三の脚部品と、前記第二の下部アタッチメントまたは前記天板のいずれにも着脱可能な第四の上部アタッチメントと、該第四の上部アタッチメントに取り付けられた第四の脚柱と、該第四の脚柱の他端側に取り付けられた第二の台部とを有する第四の脚部品と備える。
【００２５】
ここで、天板は、裏面側に電気ヒーターを有することによって、こたつとして使用することができる。
【００２６】
第一の脚部品は、第一の上部アタッチメントを有していることにより、天板の裏面側へ着脱可能に取り付けることができる。また、第一の脚部品は、第一の下部アタッチメントを有していることにより、前述の第三の脚部品と接続するように取り付けることができる。なお、第一の脚柱は、第一の上部アタッチメントと第一の下部アタッチメントとの間に配置されることにより、上方からの荷重を支えることができる。
【００２７】
第二の脚部品は、第一の上部アタッチメントを有していることにより、前述の第一の上部アタッチメントを取り付ける位置とは反対側に位置する天板の裏面側へ着脱可能に取り付けることができる。また、第二の脚部品は、第二の下部アタッチメントを有していることにより、前述の第四の脚部品と接続するように取り付けることができる。なお、第二の脚柱は、第二の上部アタッチメントと第二の下部アタッチメントとの間に配置されることにより、上方からの荷重を支えることができる。
【００２８】
第三の脚部品は、第三の上部アタッチメントを有していることにより、前述の第一の下部アタッチメントへ着脱可能に取り付けることができる。これにより、第三の脚部品と第一の脚部品が接続され、脚の長いテーブル型こたつとなる。更に、第三の上部アタッチメントは、天板の裏面側にも着脱可能に取り付けることができる。このように、第一の脚部品を介することなく、第三の脚部品を直接天板に取り付けると、脚が短くて天板の高さが低いこたつにすることができる。
【００２９】
第三の脚部品は、第一の台部を有していることにより、設置する床面に安定して置くことができる。第三の脚柱は、前述の第一の脚柱と同様、上方からの荷重を支えることができ、第一の台部は、脚部の長さを長くした場合あるいは短くした場合のいずれの場合にも機能する。
【００３０】
第四の脚部品は、第四の上部アタッチメントを有していることにより、前述の第二の下部アタッチメントへ着脱可能に取り付けることができる。これにより、第四の脚部品と第二の脚部品が接続され、脚の長いテーブル型こたつとなる。更に、第四の上部アタッチメントは、天板の裏面側にも着脱可能に取り付けることができる。このように、第二の脚部品を介することなく、第四の脚部品を直接天板に取り付けると、脚が短くて天板の高さが低いこたつにすることができる。
【００３１】
第四の脚部品は、第二の台部を有していることにより、設置する床面に安定して置くことができる。第四の脚柱は、前述の第一の脚柱と同様、上方からの荷重を支えることができ、第二の台部は、脚部の長さを長くした場合あるいは短くした場合のいずれの場合にも機能する。つまり、テーブル型こたつは、脚部の長さの調節ができるので、脚部が長いときは椅子と組み合わせて洋室で好適に使用でき、脚部が短いときは、使用者は床面に座って利用することができ、和室等で好適に使用できる。
【発明の効果】
【００３２】
本発明のテーブル型こたつによれば、テーブルの脚の高さを調節できることにより、洋風あるいは和風のいずれの生活様式にも対応させることができる。
【図面の簡単な説明】
【００３３】
【図１】本発明のテーブル型こたつの一実施の形態を示す斜視図である。
【図２】図１に示すテーブル型こたつの側面図である。
【図３】図１に示すテーブル型こたつの正面図である。
【図４】図１に示すテーブル型こたつの分解斜視説明図である。
【図５】第一の上部アタッチメントを示しており、（ａ）は平面視説明図であり、（ｂ）は（ａ）のＡ―Ａ断面図である。
【図６】第一の脚柱の斜視説明図である。
【図７】下部アタッチメントを示しており、（ａ）は平面視説明図であり、（ｂ）は（ａ）のＢ―Ｂ断面図である。
【図８】第二の上部アタッチメントを示しており、（ａ）は平面視説明図であり、（ｂ）は（ａ）のＣ―Ｃ断面図である。
【図９】台部を示しており、（ａ）は平面視説明図であり、（ｂ）は（ａ）のＤ―Ｄ断面図である。
【図１０】図１に示すテーブル型こたつの各孔群の重なりを示した底面視説明図である。
【図１１】図１のテーブル型こたつを実線で示し、椅子およびこたつ布団を想像線で示した使用状態説明図である。
【図１２】図１のテーブル型こたつの脚を短くした態様を示す斜視図である。
【図１３】従来のこたつテーブルを実線で示した使用状態説明図である。
【発明を実施するための形態】
【００３４】
図１ないし図１２を参照して、本発明の実施の形態を更に詳細に説明する。なお、各図における符号は、煩雑さを軽減し理解を容易にする範囲内で付している。また、後述する用語「上脚部品」は前述した用語「第一の脚部品」および「第二の脚部品」と、後述する用語「下脚部品」は前述した用語「第三の脚部品」および「第四の脚部品」と、それぞれ対応しており、従って、後述する用語「第一の上部アタッチメント」は前述した用語「第一の上部アタッチメント」および「第二の上部アタッチメント」と、後述する用語「第一の脚柱」は前述した用語「第一の脚柱」および「第二の脚柱」と、後述する用語「下部アタッチメント」は前述した用語「第一の下部アタッチメント」および「第二の下部アタッチメント」と、後述する用語「第二の上部アタッチメント」は前述した用語「第三の上部アタッチメント」および「第四の上部アタッチメント」と、後述する用語「第二の脚柱」は前述した用語「第三の脚柱」および「第四の脚柱」と、後述する用語「台部」は前述した用語「第一の台部」および「第二の台部」と、それぞれ対応している。
【００３５】
〔テーブル型こたつＴ１〕
テーブル型こたつＴ１は、天板１と、天板１の下方に取り付けられた一対の上脚部品２と、各上脚部品２の下方に取り付けられた一対の下脚部品３を備えており、各部については以下で詳述する。
【００３６】
（天板１）
図４を参照する。天板１は、縁部が面取りされた長方形の板体である上天板１２と、上天板１２と略同じ大きさに設けられ、上天板１２を載置する中天板１３からなる。
【００３７】
上天板１２は、各短辺側の縁部近傍に、裏面側が開口し、上面側が未貫通であるネジ孔１２１が形成されている。
【００３８】
中天板１３には、複数の第一の孔１３１と、複数の第四の孔１３２と、複数の第六の孔１３３が形成され、裏面側に二本の幕板１５が取り付けられている。第一の孔１３１と、第四の孔１３２と、第六の孔１３３の内部には、ナットあるいは長ナット（図示省略）が嵌め入れられている。なお、第一の孔１３１と第四の孔１３２は近接配置されており、第一の孔１３１と第四の孔１３２を含んだ周辺領域（あるいは中天板１３自体が）が前述の「接続基部」に相当する。
【００３９】
また、中天板１３裏面側の中央には、電気ヒーター１７が設けられている。なお、電気ヒーター１７自体は公知のものであるため、構造の詳細については説明を省略する。
【００４０】
第一の孔１３１は、中天板１３の上下面を貫通した貫通孔として形成されている。第一の孔１３１は、中天板１３の各々の短辺側に配置され、短辺側の縁部近傍かつ短辺側と平行に、所要の間隔を開けて３つ設けられており、更に、この３つから所要の間隔を開け、かつ中天板１３の長手方向の中央寄りに、３つが設けられている。換言すれば、中天板１３の一方の短辺側と平行に所要の間隔を開けて設けられた３つの孔が、二列並んでいる態様である。これら６つの第一の孔１３１は前述の「第一の孔群」に相当し、一方の短辺側に形成された第一の孔群と他方の短辺側に形成された第一の孔群が、相対するように配置してある。
【００４１】
第四の孔１３２は、中天板１３の上下面を貫通した貫通孔として形成されている。第四の孔１３２は、合計４つ設けられており、各々が第一の孔群の形成位置よりも中天板１３の長辺側の外縁寄りに２つずつ形成されている。これら４つの第四の孔１３２は、前述の「第四の孔群」に相当し、両方の短辺側に同様の配置および数で形成され、一方の第四の孔群と他方の第四の孔群が、相対するように配置してある。
【００４２】
第六の孔１３３は、中天板１３の上下面を貫通した貫通孔として形成されている。第六の孔１３３は、中天板１３の各短辺側の縁部近傍、かつ短辺側の幅方向中央に１つずつ設けられており、相対するように合計２つ配置してある。なお、各第六の孔１３３の位置および数は、前述の上天板１２のネジ孔１２１の位置および数と対応しており、留めネジ具１４を挿通させ螺着することができる。
【００４３】
留めネジ具１４は、第六の孔１３３の下方側から挿入させ、そのネジ部（符号省略）先端が中天板１３上面に突き出てネジ孔１２１に至って螺着することにより、中天板１３から上天板１２が外れないように固定することができる。この機能は、こたつ布団を使わない季節（例えば、冬以外の季節）に通常のテーブルとして使用する際に好適に使用され、使用時に上天板１２が外れないようにして安全性および利便性を向上させている。
【００４４】
図３および図１０を参照する。幕板１５は、中天板１３の裏面側に配置された長尺の部材であり、その長手方向が中天板１３の長辺側の外縁と平行になるように、一対が対向して取り付けられている。幕板１５は、長手方向の両端部の角部分に切欠部が形成されており、この切欠部と、中天板１３に取り付けられた第一の上部アタッチメント２１（あるいは、後述する図１２に示す態様においては第二の上部アタッチメント３１）とが組み合わさるように取り付けられており、これにより、天板１の短辺方向の横側から加わる外力に対して充分な強度が確保できる。
【００４５】
（上脚部品２）
上脚部品２は、第一の上部アタッチメント２１と、下部アタッチメント２３と、第一の上部アタッチメント２１と下部アタッチメント２３の間の領域に複数配置された第一の脚柱２２を有する。
【００４６】
図５を参照する。第一の上部アタッチメント２１は、水平方向に長尺の板体であり、その長手方向が天板１の短辺側の外縁と平行になるように、中天板１３へ取り付けられる。第一の上部アタッチメント２１は、その長手方向の長さが、下部アタッチメント２３よりも長く、かつ天板１の短辺側の外縁よりもやや短く設けられている。
【００４７】
第一の上部アタッチメント２１は、複数の中央孔２１１と、複数の第五の孔２１２と、複数のネジ孔２１３と、複数のダボ孔２１４が形成されている。
【００４８】
中央孔２１１は、第一の上部アタッチメント２１の上下面を貫通した貫通孔であり、第一の上部アタッチメント２１の長手方向の中央に、幅方向へ所要間隔を空けて２つ形成されている。中央孔２１１の位置および数は、前述の第一の孔１３１の中央に位置する各孔と対応している。
【００４９】
第五の孔２１２は、第一の上部アタッチメント２１の上下面を貫通した貫通孔であり、第一の上部アタッチメント２１の長手方向の両端側である短辺側の外縁寄りに、第一の上部アタッチメント２１の幅方向へ所要間隔を空けて２つずつ（両端側合わせて合計４つ）形成されている。第五の孔２１２の位置および数は、前述の第四の孔１３２の各々と対応している。これら４つの第五の孔２１２は、前述の「第五の孔群」に相当し、両方の短辺側に同様の配置および数の孔が形成され、一方の第五の孔群と他方の第五の孔群が、相対するように配置してある。
【００５０】
ネジ孔２１３は、第一の上部アタッチメント２１の幅方向中央に所要間隔を空けて合計４つ形成されており、各ネジ孔２１３は、第一の上部アタッチメント２１の長辺側の外縁と平行かつ同一直線上に配置されている。
【００５１】
ダボ孔２１４は、第一の上部アタッチメント２１の裏面側が開口し、上面側が未貫通な孔であり、第一の上部アタッチメント２１の幅方向に、各ネジ孔２１３を挟むようにして２つずつが対向し、合計８つ形成されている。
【００５２】
図７を参照する。下部アタッチメント２３は、水平方向に長尺の板体であり、その長手方向の長さが、第一の上部アタッチメント２１よりも短く設けられている。下部アタッチメント２３には、複数の中央孔２３１と、複数の第二の孔２３２と、複数のネジ孔２３３と、複数のダボ孔２３４が形成されている。中央孔２３１と、第二の孔２３２の内部には、ナットあるいは長ナット（図示省略）が嵌め入れられている。
【００５３】
中央孔２３１は、下部アタッチメント２３の裏面側が開口し、上面側が未貫通である孔であり、下部アタッチメント２３の長手方向の中央に、幅方向へ所要間隔を空けて２つ形成されている。中央孔２３１の位置および数は、前述の第一の孔１３１の中央に位置する各孔と対応している。
【００５４】
第二の孔２３２は、下部アタッチメント２３の裏面側が開口し、上面側が未貫通である孔であり、下部アタッチメント２３の長手方向の両端側である短辺側の外縁寄りに、下部アタッチメント２３の幅方向へ所要間隔を空けて各々２つずつ（両端側合わせて合計４つ）形成されている。これら４つの第二の孔２３２は、前述の「第二の孔群」に相当し、両方の短辺側に同様の配置および数の孔が形成され、一方の第二の孔群と他方の第二の孔群が、相対するように配置してある。第二の孔２３２の位置および数は、前述の第一の孔１３１の両サイド側の孔の各々と対応している。
【００５５】
ネジ孔２３３は、下部アタッチメント２３の幅方向中央に所要間隔を空けて合計４つ形成されており、各ネジ孔２３３は、下部アタッチメント２３の長辺側の外縁と平行かつ同一直線上に配置されている。
【００５６】
ダボ孔２３４は、下部アタッチメント２３の上面側に形成された下方側が未貫通な孔であり、下部アタッチメント２３の幅方向に、各ネジ孔２１３を挟むようにして２つずつが対向し、合計８つ形成されている。
【００５７】
図６を参照する。第一の脚柱２２は、所要長さの板体であり、その長さ方向が縦向きになるように起立させた形状であり、その幅方向と、第一の上部アタッチメント２１および下部アタッチメント２３の長さ方向とが、交差するように取り付けられる。第一の脚柱２２は、４つが一組であり、等間隔に配置されている。
【００５８】
第一の脚柱２２は、その上端面と下端面にダボ孔２２１，２２２が形成されている。これらのダボ孔２２１、２２２の各々には、棒状のダボ（図示省略）の一端側を挿入し、他端側をダボ孔２１４またはダボ孔２３４に挿入する。そして、ネジ孔２１３およびネジ孔２３３に、木ネジ等の接続具（図示省略）を挿入し螺着等させる。これにより、第一の脚柱２２は、上端が第一の上部アタッチメント２１に取り付けられると共に、下端が下部アタッチメント２３に取り付けられ、つまりは、第一の脚柱２２の各々の上下端部が、第一の上部アタッチメント２１および下部アタッチメント２３によって繋がれることとなる。
【００５９】
（下脚部品３）
下脚部品３は、第二の上部アタッチメント３１と、台部３３と、第二の上部アタッチメント３１と台部３３の間の領域に複数配置された第二の脚柱３２を有する。なお、第二の脚柱３２は、前述の第一の脚柱２２と同様の構造であるため、説明を省略する。
【００６０】
図８を参照する。第二の上部アタッチメント３１は、水平方向に長尺の板体であり、その長手方向が天板１の短辺側の外縁と平行になるように、前述の下部アタッチメント２３に取り付けられる。また、第二の上部アタッチメント３１は、図１２に示すように、中天板１３へ取り付けることもできる。第二の上部アタッチメント３１は、その長手方向の長さが、下部アタッチメント２３と同じ長さに設けられている。
【００６１】
第二の上部アタッチメント３１には、複数の中央孔３１１と、複数の第三の孔３１２と、複数のネジ孔３１３と、複数のダボ孔３１４が形成されている。
【００６２】
中央孔３１１は、第二の上部アタッチメント３１の上下面を貫通した貫通孔であり、第二の上部アタッチメント３１の長手方向の中央に、幅方向へ所要間隔を空けて２つ形成されている。中央孔３１１の位置および数は、前述の第一の孔１３１の中央に位置する各孔と対応している。
【００６３】
第三の孔３１２は、第二の上部アタッチメント３１の上下面を貫通した貫通孔であり、第二の上部アタッチメント３１の長手方向の両端側かつ短辺側の外縁寄りに、第二の上部アタッチメント３１の幅方向へ所要間隔を空けて２つずつ（両端側合わせて合計４つ）形成されている。第三の孔３１２の位置および数は、前述の第二の孔２３２の各々と対応している。これら４つの第三の孔３１２は、前述の「第三の孔群」に相当し、両方の短辺側に同様の配置および数の孔が形成され、一方の第三の孔群と他方の第三の孔群が、相対するように配置してある。
【００６４】
ネジ孔３１３は、第二の上部アタッチメント３１の幅方向中央に所要間隔を空けて合計４つ形成されており、各ネジ孔３１３は、第二の上部アタッチメント３１の長辺側の外縁と平行かつ同一直線上に配置されている。
【００６５】
ダボ孔３１４は、第二の上部アタッチメント３１の裏面側が開口し、上面側が未貫通な孔であり、第二の上部アタッチメント３１の幅方向に、各ネジ孔３１３を挟むようにして２つずつが対向し、合計８つ形成されている。
【００６６】
図９を参照する。台部３３は、水平方向に長尺の部材であり、その長手方向の長さが、第一の上部アタッチメント２１と略同じ長さに設けられている。
【００６７】
台部３３には、複数のネジ孔３３３と、複数のダボ孔３３４が形成されている。ネジ孔３３３は、台部３３の幅方向中央に所要間隔を空けて合計４つ形成されており、各ネジ孔３３３は、台部３３の長辺側の外縁と平行かつ同一直線上に配置されている。ダボ孔３３４は、台部３３の上面側に形成された裏面側が未貫通な孔であり、台部３３の幅方向に、各ネジ孔３３３を挟むようにして２つずつが対向し、合計８つ形成されている。
【００６８】
なお、第二の脚柱３２は、その上端面と下端面にダボ孔（図示省略）が形成されている。これらのダボ孔の各々には、棒状のダボ（図示省略）の一端側を挿入し、他端側をダボ孔３１４またはダボ孔３３４に挿入する。そして、ネジ孔３１３およびネジ孔３３３に木ネジ等の接続具（図示省略）を挿入し螺着等させる。これにより、第二の脚柱３２は、上端が第二の上部アタッチメント３１に取り付けられると共に、下端が台部３３にそれぞれ取り付けられ、つまりは、第二の脚柱３２の各々の上下端部が、第二の上部アタッチメント３１および台部３３によって繋がれることとなる。
【００６９】
（作  用）
テーブル型こたつＴ１の作用について説明する。テーブル型こたつＴ１は、こたつとしても通常のテーブルとしても使用できるが、図１１に示すように洋室等において椅子９９と組み合わせて使用する際には、上脚部品２と下脚部品３を接続し、脚を長くして使用する。上脚部品２と下脚部品３を接続して使用する場合は、以下の手順により脚部分を組み立てる。
【００７０】
（１）天板１と上脚部品２を接続する。詳しくは、まず、中天板１３の第一の孔１３１と上脚部品２の中央孔２１１とが連通するように、中天板１３と第一の上部アタッチメント２１を重ねると、第四の孔１３２と第五の孔２１２についても自ずと連通する。この重なった連通孔（第一の孔１３１と中央孔２１１が連通した孔、第四の孔１３２と第五の孔２１２が連通した孔）の各々にボルト等の接続具（図示省略）を挿入し螺着等させることで、天板１と上脚部品２を接続できる。
【００７１】
（２）上脚部品２と下脚部品３を接続する。詳しくは、まず、上脚部品２の中央孔２３１と下脚部品３の第二の上部アタッチメント３１の中央孔３１１とが連通するように、下部アタッチメント２３と第二の上部アタッチメント３１を重ねると、第二の孔２３２と第三の孔３１２についても自ずと連通する。この重なった連通孔（中央孔２３１と中央孔３１１が連通した孔、第二の孔２３２と第三の孔３１２が連通した孔）の各々にボルト等の接続具（図示省略）を挿入し螺着等させることで、上脚部品２と下脚部品３を接続できる。
【００７２】
このようにして、図１，図２、図３または図１１に示すような脚が長い態様のテーブル型こたつＴ１が組み立てられる。なお、冬期等に、テーブル型こたつＴ１をこたつとして使用する場合は、上天板１２と中天板１３の間にこたつ布団１６を挟んで使用する。
【００７３】
第一の脚柱２２と第二の脚柱３２は、上方からの荷重を支えると共に、図１１のようにテーブル型こたつＴ１にこたつ布団１６を被せて使用する際には、第一の脚柱２２と第二の脚柱３２の各々の間に形成された隙間から暖かい空気が回り、こたつ布団１６内部の領域が素早く、かつ満遍なく暖まる。
【００７４】
更に、上脚部品２は、第一の脚柱２２の各々の上端部が第一の上部アタッチメント２１を架け渡すことによって連結してあると共に、各脚柱２２の下端部が下部アタッチメント２３を架け渡すことによって連結してあるので、例えば、各脚柱２２の各々が相互に独立した構造のものと比較して、横方向からの外力に対して充分な強度が確保できる。同様に、下脚部品３も、第一の脚柱３２の各々の上端部が第二の上部アタッチメント３１によって、第一の脚柱３２の各々の下端部が台部３３によって、それぞれ架け渡すように連結してあるので、横方向からの外力に対して充分な強度が確保できる。
【００７５】
また、第一の上部アタッチメント２１、下部アタッチメント２３および第二の上部アタッチメント３１が、複数本である第一の脚柱２２または第二の脚柱３２の上端同士または下端同士に架け渡すことによってひとまとまりに連結しており、これらを介することにより、天板１と上脚部品２、天板１と下脚部品３、あるいは上脚部品２と下脚部品３の各箇所の接続作業が簡易化され、例えば脚柱毎に接続するような手間が掛からずに済み、作業が簡便で効率が良い。
【００７６】
〔テーブル型こたつＴ２〕
図１２に示すテーブル型こたつＴ２は、テーブル型こたつＴ１の変形例である。テーブル型こたつＴ２は、脚が短く、天板の高さが低いこたつであり、使用者は床面に座って利用することができ、和室等で好適に使用できる。テーブル型こたつＴ２は、第二の上部アタッチメント３１は、天板１の中天板１２にも着脱可能に取り付けることができ、このように、上脚部品２を介することなく、下脚部品３を直接天板１に取り付けた場合、脚が短く、天板の高さが低いこたつにすることができる。
【００７７】
テーブル型こたつＴ１またはテーブル型こたつＴ２のいずれの態様であっても、下脚部品３が使用されているので、下脚部品３の台部３３により、設置する床面に安定して置くことができる。
【００７８】
更に、第一の孔１３１および第二の孔２３２は、第一の上部アタッチメント２１の上面となる側が未貫通であることから、孔口が表面に表れない。これにより、見た目が良いと共に、仮に貫通孔とした場合に取り付け用のボルトなどが表面に突出してしまうようなことがないため、突き出たボルト先端に使用者が脚をぶつける、あるいは引っ掛ける等して怪我をすることがなく、また、使用するこたつ布団１６が引っ掛かる等して破損することもない。
【００７９】
前述の通り、中天板１３に上脚部品２を取り付けるために使用される孔と、中天板１３に下脚部品３を取り付けるために使用される孔とが異なるようにしてあるので、各脚部品の取り付けに使用される孔が交互に変わり、着脱を繰り返したとしても孔の内周面が傷みにくい。
【００８０】
また、前述のように、第一の上部アタッチメント２１の長手方向の長さが設定されていることにより、第一の上部アタッチメント２１の先部が中天板１３の外縁寄りまで延設されて天板１を支持していることにより、天板１の上方向から天板１の外縁近傍に加わる外力に対して充分な強度が確保できる。そして、中天板１３と第一の上部アタッチメント２１の固定に用いる第四の孔１３２群と第五の孔２１２群の孔の位置が天板１の外縁寄りに配置されていることにより、各脚部品が取り付けられる際に使用される孔群が交互に変わるので、着脱を繰り返したとしても孔の内周面が傷みにくい。
【００８１】
本実施の形態において、天板１に取り付ける際に使用される孔（第一の上部アタッチメント２１の第五の孔２１２、第二の上部アタッチメント３１の第三の孔３１２）が相互に異なるようにしてあるが、これに限定するものではなく、例えば、各々の孔の形成位置を同じにして、天板１に取り付ける際に使用される孔を共通化してもよい。
【００８２】
本実施の形態において、第一の脚柱２２と第二の脚柱３２は、互いに隙間が空くように間隔を空けて配列されたものであるが、これに限定するものではなく、例えば、天板１の短辺側の長さと同等あるいは長さが短い一枚板であるような脚柱や、所要の横幅である一枚の板材であって内側の領域に窓または開口部を設けてあるような構造の脚柱等であってもよい。
【００８３】
本実施の形態においては、第一の上部アタッチメント２１と台部３３が略同じ長さであり、下部アタッチメント２３と第二の上部アタッチメント３１が略同じ長さとなるように設定されているが、これに限定するものではなく、例えば、相互に略同じ長さであるものや、相互に違う長さであるものを除外するものではなく、適宜設定することができる。
【００８４】
本実施の形態においては、第四の孔１３２は第一の孔１３１の形成位置よりも中天板１３の長辺側の外縁寄り形成されているが、これに限定するものではなく、例えば、第一の孔１３１の形成位置よりも中天板１３の短辺方向中央寄りの位置に形成し、併せて、第五の孔２１２を第四の孔１３２の位置および数と対応するように形成してもよい。この場合も、中天板１３に上脚部品２を取り付けるために使用される孔と、中天板１３に下脚部品３を取り付けるために使用される孔とが異なるので、各脚部品の取り付けに使用される孔が交互に変わり、着脱を繰り返したとしても孔の内周面が傷みにくい。
【００８５】
本実施の形態において、第一の脚柱２２または第二の脚柱３２の各々の上下いずれかの端部は、第一の上部アタッチメント２１、下部アタッチメント２３、第二の上部アタッチメント３１または台部３３のいずれかによって横方向に架け渡すように連結してあるが、これに限定するものではなく、例えば、第一の上部アタッチメント２１等のような横架部材の一部または全部が存在せず、第一の脚柱２２の下端と第二の脚柱３２の上端を直接接続する等の態様を除外するものではない。
【００８６】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。また、第一、第二などの言葉は、等級や重要度を意味するものではなく、一つの要素を他の要素から区別するために使用したものである。
【符号の説明】
【００８７】
Ｔ１    テーブル型こたつ
１    天板
１２    上天板
１２１    ネジ孔
１３    中天板
１３１    第一の孔
１３２    第四の孔
１３３    第六の孔
１４    留めネジ具
１５    幕板
１６    こたつ布団
１７    電気ヒーター
２    上脚部品
２１    第一の上部アタッチメント
２１１    中央孔
２１２    第五の孔
２１３    ネジ孔
２１４    ダボ孔
２２    第一の脚柱
２２１    ダボ孔
２２２    ダボ孔
２３    下部アタッチメント
２３１    中央孔
２３２    第二の孔
２３３    ネジ孔
２３４    ダボ孔
３    下脚部品
３１    第二の上部アタッチメント
３１１    中央孔
３１２    第三の孔
３１３    ネジ孔
３１４    ダボ孔
３２    第二の脚柱
３３    台部
３３３    ネジ孔
３３４    ダボ孔
９    こたつテーブル
９９    椅子
【図１】
2017187266.tif 000003
【図２】
2017187266.tif 000004
【図３】
2017187266.tif 000005
【図４】
2017187266.tif 000006
【図５】
2017187266.tif 000007
【図６】
2017187266.tif 000008
【図７】
2017187266.tif 000009
【図８】
2017187266.tif 000010
【図９】
2017187266.tif 000011
【図１０】
2017187266.tif 000012
【図１１】
2017187266.tif 000013
【図１２】
2017187266.tif 000014
【図１３】
2017187266.tif 000015